(57)【特許請求の範囲】
【請求項１】
指紋を読み取るためのセンサ部を備え、該センサ部上を指を移動させて認証を行う掃引式指紋認証装置において、指を掃引する移動方向に関して前記センサ部の前側の位置に、指が導入される先端側にエッジ部が形成され、移動される複製指に対して損傷を与える突起を設けたことを特徴とする掃引式指紋認証装置。
【請求項２】
前記突起をセンサ部の前後に形成したことを特徴とする請求項１に記載の掃引式指紋認証装置。
【請求項３】
前記突起を指の移動方向に対して横方向に複数個形成した請求項１または請求項２に記載の掃引式指紋認証装置。
【請求項４】
配列された突起は中央部が低く両側に向けて順次高さを高くした請求項３に記載の掃引式指紋認証装置。
【請求項５】
前記突起は、前記エッジ部と反対側の端部側は流線型とされる請求項１乃至請求項４に記載の掃引式指紋認証装置。
【発明の詳細な説明】
【技術分野】
【０００１】
本発明は、掃引式指紋認証装置、特に複製された指紋による誤認証を防止する手段を備えた掃引式指紋認証装置に関する。
【背景技術】
【０００２】
特定の登録された個人のみに特定の操作を許容するような場合に、その登録されたデータと個人データを照合するための個人認証装置が使用されるが、その個人認証装置として指紋を利用する指紋認証装置がある。この指紋認証装置は、センサにより取得した指紋データを事前に登録された指紋データと照合することで認証操作を行った個人を特定している。
【０００３】
しかしながら、一般的な指紋認証装置では、単に取得した指紋パターンと登録されている指紋パターンを照合するだけであるので、指そのものからもしくは残留指紋からシリコンゴム等により複製された偽造指紋を使用して不正に照合操作が行われるおそれがある。そこで、このような問題を解決するため、従来、指紋認証装置に電極を設け、被検体と電極で構成される共振回路のインピーダンスの違いにより、接触させた或いは近接させた被検体が生体の指であるか複製された指であるかを判別するようにしたものがある（特許文献１参照）。
【０００４】
また、指紋認証装置に感圧センサを設け、被検体の脈拍パターンを計測することで、接触ないし近接させた被検体が生体の指であるか複製された指であるかを判別するようにしたものがある（特許文献２）。
【特許文献１】特開２０００−１７２８３３号公報
【特許文献２】特開平０６−１８７４３０号公報
【発明の開示】
【発明が解決しようとする課題】
【０００５】
しかしながら、上記指紋認証装置は、被検体が生体の指か複製された指かを判別するための生体判別手段を指紋認証装置に組み込む必要があるため、既設の指紋認証装置に対応させるためには、装置の大幅な改造を伴い困難であった。
【０００６】
ところで、指紋認証装置には、センサ部に設置した指を静止させた状態で指紋を読み取るものの他、図１に示すようなライン状のセンサ部を横切るように指を動かす掃引式指紋認証装置１が存在する。掃引式指紋認証装置１は基台２にライン状のセンサ部３が埋め込まれた構成であり、指をガイド部４に沿って動かし、この指を動かす過程で指の指紋を読み取るようにしたものである。
【０００７】
そこで、本発明は、指紋認証装置のうち、図１に示すような掃引式指紋認証装置１において、既設の指紋認証装置であっても簡単でかつ安価な方法により複製された指による認証を妨げることができるような指紋認証装置を提供することを目的とする。
【課題を解決するための手段】
【０００８】
上記課題を解決するため、本発明の掃引式指紋認証装置では、センサ部の前後の一方または両方に指の動きに抵抗を与える突起を設けることを特徴としている。
【０００９】
また、前記突起部をセンサ部の前後に形成することにより、シリコン等のような比較的硬い材料により複製された指を使用する不正操作を有効に妨げることができる。
【００１０】
また、前記突起は指の移動方向に対して横方向に配列された複数個の突起により形成することができる。この場合、配列された突起は中央部が低く両側に向けて順次高さを高くして掃引操作する指のガイドの機能を与えることができる。
【００１１】
また、突起部を形成する突起の形状を、指が導入される先端側にエッジを形成し、センサ部に対向する端部側は流線型とすることにより、複製された指に対しては効果的に損傷を与え、生体指に対しては掃引操作に影響を与えないようにしている。
【発明の効果】
【００１２】
本発明によれば、たとえば、ゼラチンなどの柔らかい素材で複製した指を認証に使用しようとする場合、掃引する過程で突起部により複製された指が破壊され、認証を行うことが不可能となる。
【００１３】
また、シリコンのような比較的硬い素材で複製された指を認証に用いようとした場合、突起部によりセンサの表面に指が接触せず、認証ができなくなる。
【００１４】
このように、本発明によれば、複製された指を使用する不正操作を防止し、指紋認証装置のセキュリティレベルを高めるとともに、既存の指紋認証装置でも容易に改造することができる。
【発明を実施するための最良の形態】
【００１５】
以下、図面を参照して、本発明の実施の形態を説明する。
【００１６】
なお、本発明による掃引式指紋認証装置１０は基本的には図１に示した指紋認証装置１と同様な構成を備えるものであり、共通する部位については同一の符号を使用して説明する。
【００１７】
図２は本発明の実施形態の掃引式指紋認証装置（以下、単に「指紋認証装置」という。）１０を示す。指紋認証装置１０は図１に示したものと同様に、基台２にライン状のセンサ部３が設けられ、基台２の両側には移動する指を案内するガイド部４が設けられている。本実施形態になる指紋認証装置１０は、センサ部３の前後両方に指の動きにある程度の抵抗を与える突起部５，６を設けている。突起部５，６は、それぞれ複数個の突起５ａ，５ａ・・及び６ａ，６ａ・・を横方向に配列して設けられている。
【００１８】
図３に突起５ａ，６ａの一例を示す。（ａ）は斜視図であり、（ｂ）は（ａ）図の矢印（イ）方向から視た側面図である。突起５ａ，６ａは、図３（ａ）、（ｂ）に例示するような形状をなすもので、実際の指を当てて動かしたとき、指の表面がセンサ部３に接触することを許容する程度の大きさとされ、また、指を傷つけないように丸みをおびた滑らかな形状としているが、先端部には鋭角なエッジ部ｅが設けられている。このエッジ部ｅは意図的に移動する指が引っかかるようにするもので、矢印（ロ）の方向から移動する生体の指に対しては損傷を与えることなく、ゼラチンのような柔らかい材料の複製された指に対しては容易に損傷を与えるような輪郭形状とされている。また、エッジ部ｅと反対側の端部は流線型部ｆとなし、矢印（ロ）とは反対方向の移動、即ち、センサ部を通過した後の移動に対してはその移動を円滑に行えるようにしている。
【００１９】
なお、突起部５，６を形成する突起５ａ，６ａの高さは一様である必要はなく、例えば、配列された突起５ａ，５ａ，・・・のうち、中央部の高さを低く、両サイドに向けて順次高さを高くすることで、移動する指のガイドの機能を与えるようにすることもできる。
【００２０】
図４を参照して本発明による突起部５，６の作用効果を説明する。
【００２１】
突起部５，６が設けられた掃引式指紋認証装置１０により認証を行う場合は、指を矢印のように掃引することにより行うが、例えば、前述のように、ゼラチンのような柔らかい材料により複製された指紋を使用して認証が行われようとすると、掃引の過程で突起５ａ，６ａの先端に形成されたエッジ部ｅに引っかかり複製された指紋が損傷され、意図された不正な認証が行われないこととなる。なお、図３（ｂ）の矢印（ロ）は指の掃引方向とエッジ部ｅの関係を示している。
【００２２】
また、図４に示すように、突起部５，６はセンサ部３を挟むようにして前後方向に設けられているが、突起部５及び突起部６の間隔ｄを所定の値に設定することにより、シリコンなどの硬い材料により複製された指が使用された場合は、図示のように突起部５，６により複製された指がセンサ部３に接近できず隙間が生じ、センサ部３と指が接触せず、認証が行われない。
【００２３】
突起５ａ，６ａの形状は図３に示したものに限らず、種々の変形が可能であり、図５は突起の他の例を示している。本例においても、指の移動方向（ロ）に対して鋭角なエッジ部ｅを形成しており、上述と同様な作用効果を奏する。
【００２４】
なお、上述の例では、センサ部３を挟んで突起部５，６を形成しているが、必ずしも、センサ部３の両側に設ける必要はなく、例えば、指紋認証装置１０が指の移動方向を特定するような場合には、指の導入側のみに形成するようにするようにしてもよい。この場合であっても、突起部とセンサ部間隔や各突起の高さを工夫することにより、シリコン等の硬い材料による複製指に対しても有効に不正認証を防ぐことができる。
【図面の簡単な説明】
【００２５】
【図１】掃引式指紋認証装置の概略構成を示す図である。
【図２】本発明の実施形態に係る掃引式指紋認証装置の構成を示す図である。
【図３】突起部の突起の形状を示す図である。
【図４】本発明の突起の作用を説明する図である。
【図５】突起の他の例を示す図である。
【符号の説明】
【００２６】
１，１０  掃引式指紋認証装置
２  基台
３  センサ部
４  ガイド部
５，６  突起部
５ａ，６ａ  突起
【図１】
0004511428.tif 000002
【図２】
0004511428.tif 000003
【図３】
0004511428.tif 000004
【図４】
0004511428.tif 000005
【図５】
0004511428.tif 000006